(57)【要約】【課題】映像編集などの工程を効率よく進めるために有用となる付加情報の内、階層的なＩＤとなるシーン番号とテイク番号を、ユーザに負担をかけることなく、映像に関連付けて記録する。【解決手段】被写体を撮像して映像信号を出力する撮像部１０２と、映像信号に含まれるシーンを特定するシーン情報を含む付加情報を生成する付加情報管理部１０９と、撮像時の状態を示す状態情報を記憶する状態記憶部と、状態記憶部に記憶された前回撮影時の状態情報と現在の状態情報とを比較することにより前回とは異なるシーンを撮像しているかどうかを検出するシーン変化検出部１２５と、シーン変化検出部１２５による検出結果に基づいて、シーン情報を決定するシーンテイク番号管理部１２２と、映像信号と付加情報とを関連付けて記録する記録部１０６とを備える。【選択図】 図１
2011035579.tif 000002
【特許請求の範囲】
【請求項１】
被写体を撮像した映像信号を記録媒体に記録する映像記録装置であって、
前記被写体を撮像して前記映像信号を出力する撮像部と、
前記映像信号に含まれるシーンを特定するシーン情報を含む付加情報を生成する付加情報管理部と、
撮像時の状態を示す状態情報を記憶する状態記憶部と、
前記状態記憶部に記憶された前回撮影時の状態情報と現在の状態情報とを比較することにより前回とは異なるシーンを撮像しているかどうかを検出するシーン変化検出部と、
前記シーン変化検出部による検出結果に基づいて、前記シーン情報を決定するシーン情報管理部と、
前記映像信号と前記付加情報とを関連付けて記録する記録部とを備える映像記録装置。
【請求項２】
前記状態情報は、前記映像記録装置に取り付けられたレンズの種類に関する情報を含み、
前記シーン変化検出部は、前記映像記録装置に取り付けられているレンズの種類と、前回撮影時において前記映像記録装置に取り付けられたレンズの種類との差異に基づいてシーン変化を検出する請求項１記載の映像記録装置。
【請求項３】
前記状態情報は、前記映像記録装置に取り付けられたレンズの撮影中における状態に関する情報を含み、
前記シーン変化検出部は、前記映像記録装置に取り付けられているレンズの撮影時のユーザによる操作情報と、前回撮影時において前記映像記録装置に取り付けられたレンズの撮影時のユーザによる操作情報との相関に基づいてシーン変化を検出する請求項１記載の映像記録装置。
【請求項４】
前記状態情報は、前記映像記録装置の位置に関する情報を含み、
前記シーン変化検出部は、撮影時の前記映像記録装置の位置に関する情報と、前回撮影時の前記映像記録装置の位置に関する情報とに基づいてシーン変化を検出する請求項１記載の映像記録装置。
【請求項５】
前記シーン変化検出部は、前回撮影終了時からの経過時間と、前々回撮影時までの経過時間との相関を取ることによりシーン変化を検出する請求項１記載の映像記録装置。
【発明の詳細な説明】
【技術分野】
【０００１】
本発明は、カメラレコーダ等の映像記録装置において、映像情報を管理する付加情報を記録する付加情報付与装置に関する。
【背景技術】
【０００２】
近年、映像編集にコンピュータを用いたノンリニア編集を行うことが一般的になってきている。このため撮影段階から、磁気テープ等にリニアに映像を記録するのではなく、半導体メモリを代表とするＩＴ親和性の高い記録媒体にファイルとして映像を記録するカメラレコーダを使用することが、プロフェッショナルな映像製作の現場でも一般的になってきた。さらに、このようなファイルベースの映像記録の場合、撮影した映像に関連する付加情報を、映像と同じ記録媒体に記録できる機能をもったものも少なくない。
【０００３】
付加情報は、撮影した映像に撮影者や撮影対象、目的、日時、場所といった情報や、撮影時のカメラレコーダの設定値等を含むことが多い。また、映像の時間軸上に関連付けたテキスト情報を含むこともあり、非常に長い時間撮影された映像の中で、必要な箇所をすぐに検索することもできる。このように付加情報を利用することで、編集等の撮影後の後工程を効率よく進めることが可能となる。
【０００４】
付加情報には、カメラレコーダ等が自動的に生成して記録可能なものと、ユーザ自身でキーボード等何らかの入力方法で入力する必要のあるものとがある。後者のような付加情報は、特にテキストデータを入力するような場合には入力という行為自身が手間となる。このため、逆に作業効率を落とすことにつながる可能性があり、利用されないことも多い。
【０００５】
そこでこの問題を解決するために、ユーザによる付加情報の入力作業の手間を軽減するために、特許文献１や特許文献２に記載されたような従来の付加情報付与装置が考えられている。
【０００６】
特許文献１の付加情報付与装置は、携帯情報端末の赤外線ポートなどからアドレス帳に記述されている個人情報を送信することにより、被写体に関する付加情報を付与する方法を示している。また、特許文献２の付加情報付与装置は、ユーザの発話操作によって得られた付加情報としてのテキストを、映像の時間軸に関連付けて付与する方法を示している。
【先行技術文献】
【特許文献】
【０００７】
【特許文献１】特開２００４−１３３５３６号公報
【特許文献２】特開２００５−６５１９１号公報
【発明の概要】
【発明が解決しようとする課題】
【０００８】
上記で説明したように、映像に関連する付加情報を記録することは、編集などの後工程を効率良く進めるには非常に有用となる。上記従来の付加情報付与装置は、映像の撮影後に編集するための有用な付加情報を入力可能とする。しかし、携帯情報端末からの個人情報の送信や発話操作といった付加情報を付与するという行為がユーザ自身の負担となる。また、付加情報として付与したいテキストを作成する工数も必要となる。このようにテキストを自動的に付与しようとすると、ユーザに対して何らかの負荷がかかる可能性がある。
【０００９】
一方でテキストのように自由な記述でないが、検索を容易にする付加情報として、シーン番号やテイク番号が挙げられる。特に映画やドラマ等の撮影形態においては、映像の管理をシーンやテイクで行うことが多い。すなわち、映像をシーンごとに撮影し、同一シーンを監督等のスタッフが満足するまで繰り返し撮影してテイクを重ねることが多い。このような撮影形態では、映像に対して、付加情報として単純に通し番号を付与するのではなく、シーン番号やテイク番号として階層的に付与しておくことは、後工程において映像の検索や分類、並べ替えに有用であると言える。この場合、シーンを特定する番号としてシーン番号を付与し、テイクを特定する番号としてテイク番号を付与する。すなわち、同一シーンを撮影した映像には同一のシーン番号が付与され、同一シーンについて複数回撮影した各々の映像には、連番でテイク番号が付与されるようにして、後工程での検索性を高めることができる。
【００１０】
そこで、シンプルな付加情報でありながらも、映像の検索に有用であるシーン番号とテイク番号に着目する。シーン番号とテイク番号をユーザに負担をかけることなく、付与を行うためには、シーン番号とテイク番号という階層の異なる番号を映像記録装置で管理する必要がある。テイク番号は撮影を開始するごとに番号をインクリメントしていくことで付与可能であるが、シーン番号はシーンが切り替わるタイミングを検出する必要がある。
【００１１】
本発明は、上記のような課題に鑑みてなされたものであって、記録媒体に映像を記録するとともに、映像記録装置上で管理されたシーン番号を、ユーザに負担をかけることなく、映像に関連した付加情報として記録することを目的とする。
【課題を解決するための手段】
【００１２】
上記課題を解決するために本発明の映像記録装置は、被写体を撮像した映像信号を記録媒体に記録する映像記録装置であって、被写体を撮像して映像信号を出力する撮像部と、映像信号に含まれるシーンを特定するシーン情報を含む付加情報を生成する付加情報管理部と、撮像時の状態を示す状態情報を記憶する状態記憶部と、状態記憶部に記憶された前回撮影時の状態情報と現在の状態情報とを比較することにより前回とは異なるシーンを撮像しているかどうか検出するシーン変化検出部と、シーン変化検出部による検出結果に基づいて、シーン情報を決定するシーン情報管理部と、映像信号と付加情報とを関連付けて記録する記録部とを備える。
【発明の効果】
【００１３】
本発明によれば、ユーザに負担をかけることなく、映像に関連付けた付加情報としてシーン番号を記録することができる。その付加情報を参照することで、編集などの撮影後の工程において、必要な映像の検索や選別を行いやすくできることから、映像製作の現場における作業の効率性の改善に大きな効果を発揮する。
【図面の簡単な説明】
【００１４】
【図１】実施形態１における映像記録装置の構成を示すブロック図
【図２】付加情報の具体例を示す図
【図３】シーン変化検出部の動作を示すフローチャート
【図４】撮影開始時検出手段の動作を示すフローチャート
【図５】撮影終了時検出手段の動作を示すフローチャート
【発明を実施するための形態】
【００１５】
以下、図面を参照しながら実施の形態について説明する。
【００１６】
＜１．映像記録装置の構成＞
図１は、実施の形態における映像記録装置の構成を示したブロック図である。映像記録装置１００は、挿抜可能な記録媒体１０１に映像情報を書き込むことで映像を記録する。撮像部１０２は、映像記録装置１００に取り付けられた光学レンズ部１１４から得られる光学情報を映像信号に変換する。低圧縮符号化部１０３は、変換された映像信号を本素材用の高画質な映像信号に低圧縮符号化する。高圧縮符号化部１０４は、映像信号を本素材用の映像信号よりも低画質な、確認用の映像信号に高圧縮符号化する。記録部１０６は、低圧縮符号化された高画質な映像信号を低圧縮映像ファイル１０７として、また高圧縮符号化された低画質な映像信号を高圧縮映像ファイル１０８として、記録媒体１０１へ書き込む。撮影開始終了入力部１０５は、ユーザからの撮影開始および撮影終了の指示を受け付け、その情報を各部へ出力する。撮影開始終了入力部１０５がユーザからの撮影開始指示を受け付けると、低圧縮符号化部１０３、高圧縮符号化部１０４および記録部１０６は動作を開始し、これにより低圧縮映像ファイル１０７および高圧縮映像ファイル１０８が記録媒体１０１上に記録されていく。撮影開始終了入力部１０５が撮影終了指示を受け付けると、低圧縮符号化部１０３、高圧縮符号化部１０４および記録部１０６は動作を終了し、これにより低圧縮映像ファイル１０７および高圧縮映像ファイル１０８の記録媒体１０１への書き込みが終了する。
【００１７】
本実施の形態における記録媒体１０１としては、ＤＶＤ（Ｄｉｇｉｔａｌ  Ｖｅｒｓａｔｉｌｅ  Ｄｉｓｋ）やＢＤ（Ｂｌｕ−ｒａｙ  Ｄｉｓｃ）といった光ディスク、ＨＤＤ（Ｈａｒｄ  Ｄｉｓｋ  Ｄｒｉｖｅ）のような磁気ディスク、あるいはＳＤメモリーカードやＳＳＤ（Ｓｏｌｉｄ  Ｓｔａｔｅ  Ｄｒｉｖｅ）のような半導体メモリといったランダムアクセス可能な媒体を想定している。撮影開始終了入力部１０５とは、例えば、カメラレコーダの録画開始ボタンである。撮像部１０２とは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）といった撮像素子を含めた回路である。低圧縮符号化部１０３または高圧縮符号化部１０４で用いられる圧縮方式としては、例えば、ＤＶ（ＩＥＣ  ６１８３４）やＭＰＥＧ−２（ＩＳＯ／ＩＥＣ  １３８１８）、ＭＰＥＧ−４（ＩＳＯ／ＩＥＣ  １４４９６）である。各符号化部は、符号化フォーマットに関する情報として、あらかじめ設定された映像の圧縮方法と走査線の本数、フレーム周波数、映像の縦横比であるアスペクト比を記憶している。
【００１８】
また、映像記録装置１００は付加情報管理部１０９を備える。付加情報管理部１０９は、映像記録装置１００が映像の記録を開始するときに、低圧縮符号化部１０３や光学レンズ情報管理部１１１、位置情報取得部１１２および時刻管理部１１３から必要な情報を取得することで付加情報を生成し、記録部１０６に渡す。記録部１０６は、渡された付加情報を付加情報ファイル１１０として記録媒体１０１に記録する。
【００１９】
光学レンズ部１１４は、ユーザがズームの調整のために操作するズームリング部１１５と、フォーカスの調整のために操作するフォーカスリング部１１６を備える。また、ズームリング部１１５はズームリング部１１５の回転量を検出するズームリングセンサ部１１７を備え、フォーカスリング部１１６はフォーカスリング部１１６の回転量を検出するフォーカスリングセンサ部１１８を備える。光学レンズ部１１４は、ズームリングセンサ部１１７の検出結果に基づいてズームレンズ（図示せず）を駆動する。また、フォーカスリングセンサ部１１８の検出結果に基づいてフォーカスレンズ（図示せず）を駆動する。光学レンズ部１１４は交換式レンズでも、非交換式レンズのどちらでも構わない。ただし、光学レンズ部１１４は手動で画角の変更やピント合わせの操作を可能とするズームリング部１１５、またはフォーカスリング部１１６の少なくともどちらか一方を備えているものとする。ただし、必ずしもリングの形状である必要はなく、レバーやサーボなどを用いた電動での画角の変更やピント合わせの操作を可能とする機構を備えるものとしても構わない。
【００２０】
光学レンズ情報管理部１１１は、映像記録時の映像とズーム量の時間的な変化を記憶するズーム量記憶部１１９と、映像記録時の映像とフォーカス量の時間的な変化を記憶するフォーカス量記憶部１２０と、映像記録時のレンズの種類を記憶するレンズ種別記憶部１２１を備える。ここでいうズーム量とは、前述のズームリングセンサ部１１７から取得可能なズームリング部１１５の回転量を示す。なお、このズーム量は撮影時のユーザによるレンズ操作情報の一例である。電動でズームの調整をする場合は、電動で動作するモータのトルク値としても構わない。また、ここでいうフォーカス量とは、前述のフォーカスリングセンサ部１１８から取得可能なフォーカスリング部１１６の回転量を示す。なお、このフォーカス量は撮影時のユーザによるレンズ操作情報の一例である。電動でフォーカスの調整をする場合は、電動で動作するモータのトルク値としても構わない。付加情報管理部１０９はズーム量記憶部１１９とフォーカス量記憶部１２０とからデータを読み取ることにより、付加情報ファイル１１０にズーム量、フォーカス量の時間的変化を記述する。ズーム量記憶部１１９、フォーカス量記憶部１２０およびレンズ種別記憶部１２１は、状態記憶部に含まれる。
【００２１】
図２は、付加情報ファイル１１０の具体例を示す図である。本例では、付加情報をＸＭＬ形式で記述している。ここでは、＜ＣｌｉｐＣｏｎｔｅｎｔ＞タグの階層下に付加情報が記述されている。＜Ｄｕｒａｔｉｏｎ＞タグ内には映像の時間的な長さ（映像長）が記述されており、長さの単位はフレームを用いている。＜Ｃｏｄｅｃ＞タグ内には、映像の圧縮方法と走査線の本数が記述されている。＜ＦｒａｍｅＲａｔｅ＞タグ内には、映像のフレーム周波数が記述されている。＜ＳｔａｒｔＴｉｍｅｃｏｄｅ＞タグ内には映像の先頭タイムコードが記述されている。＜ＡｓｐｅｃｔＲａｔｉｏ＞は映像の縦横比であるアスペクト比が縦：横の形式で記述されている。＜ＳｔａｒｔＤａｔｅ＞タグ内には、撮影開始時刻、＜ＥｎｄＤａｔｅ＞タグ内には撮影終了時刻が記述されている。図２の例では、日本時間の２００９年４月２７日１７時５８分５５秒から１７時５９分０７秒にかけて撮影されたこと、映像長は３８３フレームであること、記録フォーマットは１００ＭｂｐｓのＤＶ圧縮形式、走査線１０８０本、フレーム周波数５９．９４毎秒のインタレースであること、開始タイムコードは００：４８：５３：０７であることが付加情報からわかる。ここで示した情報は低圧縮符号化部１０３の設定値や撮影時刻や撮影時間等を管理している時刻管理部１１３から取得することができる。
【００２２】
また、映像記録装置１００は、シーン・テイク番号管理部１２２を備えている。シーン・テイク番号管理部１２２は、シーン番号カウンタ１２３とテイク番号カウンタ１２４とを備え、付加情報管理部１０９は、映像記録装置１００が映像の記録を終了するときに、シーン番号カウンタ１２３およびテイク番号カウンタ１２４の値を読み出して付加情報を生成し、記録部１０６に渡す。記録部１０６は、渡された付加情報を付加情報ファイル１１０に追加して記録媒体１０１に記録する。
【００２３】
付加情報ファイルにおいては、シーン番号は＜ＳｃｅｎｅＮｏ．＞タグ内に記述され、テイク番号は＜ＴａｋｅＮｏ．＞タグ内に記述される。図２の例では、シーン番号は２７、テイク番号は３であることがわかる。シーン・テイク番号管理部１２２は、撮影開始終了入力部１０５から撮影開始の情報が入力された時にテイク番号カウンタ１２４を１増加させる。また、シーン・テイク番号管理部１２２は、シーン変化検出部１２５（後述）からシーン変化の情報を通知された時にシーン番号カウンタ１２３を１増加させる。シーン番号は、シーンを特定するシーン情報の一例である。また、シーン・テイク番号管理部１２２は、シーン情報管理部の一例である。
【００２４】
また、映像記録装置１００は、シーン変化検出部１２５を備えている。シーン変化検出部１２５は、シーンの変化を検出したときに、シーン変化の情報をシーン・テイク番号管理部１２２に通知する。シーン変化検出部１２５は、撮影開始終了入力部１０５から撮影開始の情報が入力された時にシーンの変化を検出する撮影開始時検出手段１２６と、撮影開始終了入力部１０５から撮影終了が入力された時にシーンの変化を検出する撮影終了時検出手段１２７とを備える。シーン変化検出部１２５は、シーンの変化を検出するために、光学レンズ情報管理部１１１と、位置情報取得部１１２と、時刻管理部１１３とから情報を取得する。位置情報取得部１１２は、ＧＰＳや加速度センサ等を備え、これらから映像記録装置１００の位置情報を取得する。また、位置情報取得部１１２は、撮影開始終了入力部１０５から撮影開始の情報が入力されてから、撮影開始終了入力部１０５から撮影終了の情報が入力されるまでの間、位置情報の時間的な変化を記憶する位置情報記憶部１２８を備える。時刻管理部１１３は、前回の撮影終了時刻から現在の撮影開始時刻までの経過時間の平均値とその標本数を記憶する平均経過時間記憶部１２９を備える。位置情報記憶部１２８および平均経過時間記憶部１２９は、状態記憶部に含まれる。
【００２５】
＜２．映像記録装置の動作＞
以下、シーン番号およびテイク番号を自動的に付与する仕組みについて、図３のフローチャートを用いて説明する。映像記録装置１００のユーザが、撮影開始終了入力部１０５を操作して撮影開始の入力を行うと、撮影開始終了入力部１０５が撮影開始の情報を出力する（Ｓ３００）。付加情報管理部１０９は撮影開始の情報を受けて、撮影開始時の各パラメータを取得して記憶する（Ｓ３０１）。記憶されるパラメータは光学レンズ情報管理部１１１から得られるレンズの種類、位置情報取得部１１２から得られる映像記録装置１００の撮影開始位置情報、時刻管理部１１３から得られる撮影開始時刻情報および低圧縮符号化部１０３から得られる符号化フォーマットに関する情報である。次に、シーン・テイク番号管理部１２２は、撮影開始の情報を受けてテイク番号カウンタ１２４の値を１増加させる（Ｓ３０２）。次に撮影開始時検出手段１２６はシーン変化があるかどうかを検出する（Ｓ３０３）。シーン変化が検出された場合（Ｓ３０３において“ＹＥＳ”）には、シーン変化検出部１２５がシーン変化の情報をシーン・テイク番号管理部１２２に送る。この情報を受けたシーン・テイク番号管理部１２２は、シーン番号カウンタ１２３の値を１増加させ（Ｓ３０４）、テイク番号カウンタ１２４に０をセットする（Ｓ３０５）。シーン変化が検出されなかった場合（Ｓ３０３において“ＮＯ”）は、撮影開始時検出手段１２６はなにも出力しない。撮影開始時に以上の処理を行った後、映像の撮影および記録が開始され、ユーザからの撮影終了の入力待ちとなる（Ｓ３０６）。
【００２６】
ユーザが撮影開始終了入力部１０５を操作して撮影終了の入力を行うと、撮影開始終了入力部１０５が撮影終了の情報を出力する（Ｓ３０６）。付加情報管理部１０９は撮影終了の情報を受けて、撮影終了時の各パラメータを取得して記憶する（Ｓ３０７）。記憶されるパラメータは時刻管理部１１３から得られる撮影終了時刻情報である。次に、シーン・テイク番号管理部１２２は、テイク番号カウンタ１２４の値が０かどうかを判断する（Ｓ３０８）。テイク番号カウンタ１２４の値が０の場合（Ｓ３０８において“ＹＥＳ”）は、撮影開始時検出手段１２６によってシーン変化が検出されていることになるので、テイク番号カウンタ１２４に１をセットする（Ｓ３０９）。テイク番号カウンタ１２４の値が０以外の場合（Ｓ３０８において“ＮＯ”）は、撮影終了時検出手段１２７がシーン変化の有無を検出する（Ｓ３１０）。シーン変化が検出された場合（Ｓ３１０において“ＹＥＳ”）には、シーン変化検出部１２５がシーン変化の情報をシーン・テイク番号管理部１２２に送る。この情報を受けたシーン・テイク番号管理部１２２は、シーン番号カウンタ１２３の値を１増加させ（Ｓ３１１）、テイク番号カウンタ１２４に１をセットする（Ｓ３１２）。シーン変化が検出されなかった場合（Ｓ３１０において“ＮＯ”）は、撮影終了時検出手段１２７はなにも出力しない。
【００２７】
付加情報管理部１０９は、シーン・テイク番号管理部１２２からシーン番号カウンタ１２３およびテイク番号カウンタ１２４の値を読み取り、これらを付加情報とする（Ｓ３１３）。付加情報とされたシーン番号およびテイク番号は、記録部１０６によって記録媒体１０１上の付加情報ファイル１１０に追加される。
【００２８】
以下、撮影開始時検出手段１２６によってシーン変化を検出する仕組みについて、図４のフローチャートを用いて説明する。撮影開始時検出手段１２６では、前回の撮影時と現在の撮影時の光学系の変化、前回の撮影終了時刻から現在の撮影開始時刻までの経過時間（撮影間隔）の違い、および前回の撮影時と現在の撮影時の撮影開始位置の違いを調べることでシーン変化の検出を行う。撮影開始時検出手段１２６は光学系に変化があったか否かを判定するために、前回の撮影のレンズと現在の撮影のレンズの種類を、レンズ種別記憶部から値を読み取ることにより比較する（Ｓ４００）。レンズの種類が異なれば（Ｓ４００において“ＹＥＳ”）、撮影開始時検出手段１２６はシーン変化があったと判定し、その結果を出力する（Ｓ４０１）。レンズの種類が等しければ（Ｓ４００において“ＮＯ”）、撮影開始時検出手段１２６は前回の撮影終了時刻から現在の撮影開始時刻までの経過時間の違いを調べる。これはシーン変化が起こる時、セットの変化やカメラの設定に多くの時間を要するからである。撮影開始時検出手段１２６はまず、前回の撮影終了時刻と現在の撮影の開始時刻との差分を取り、経過時間を算出する（Ｓ４０２）。次に、撮影開始時検出手段１２６は時刻管理部１１３の平均経過時間記憶部１２９の値と求めた経過時間とを比較する（Ｓ４０３）。比較した結果に相関関係がなければ（Ｓ４０３において“ＮＯ”）、撮影開始時検出手段１２６はシーン変化を検出したと判定し、その結果を出力する（Ｓ４０１）。比較した結果に相関関係があれば（Ｓ４０３において“ＹＥＳ”）、撮影開始時検出手段１２６は現在の経過時間を含めて経過時間の平均値を再計算（Ｓ４０４）した後、前回の撮影の開始位置と現在の撮影の開始位置とを比較する（Ｓ４０５）。比較した結果に相関関係がなければ（Ｓ４０５において“ＮＯ”）、撮影開始時検出手段１２６はシーン変化を検出したと判定し、その結果を出力する（Ｓ４０１）。比較した結果に相関関係があれば（Ｓ４０５において“ＹＥＳ”）、撮影開始時検出手段１２６はシーン変化を検出しなかったと判定し、その結果を出力する（Ｓ４０６）。経過時間における相関関係の判定は、例えば次のように行う。前回の撮影終了時刻から現在の撮影開始時刻までの経過時間と平均経過時間記憶部１２９で保持している時間との差分Ｄｔを求める。そして、適切な閾値ｔｓ１によって相関関係があるか否かを判定する。Ｄｔの絶対値がｔｓ１以内であれば（−ｔｓ１≦Ｄｔ≦ｔｓ１）、相関関係があると判定する。撮影開始位置における相関関係の判定は、例えば次のように行う。現在の撮影の開始位置の値と前回の撮影時の位置情報記憶部１２８の最初の時刻（フレーム）での位置情報の値との差分Ｄｐを求める。そして、適切な閾値ｔｓ２によって相関関係があるか否かを判定する。Ｄｐの絶対値がｔｓ２以内であれば（−ｔｓ２≦Ｄｐ≦ｔｓ２）、相関関係があると判定する。
【００２９】
以下に、撮影終了時検出手段１２７がシーン変化を検出する仕組みについて、図５のフローチャートを用いて説明する。撮影終了時検出手段１２７は、前回の撮影時と現在の撮影時の光学系の時間的変化の仕方、もしくは前回の撮影時と現在の撮影時の映像記録装置１００の空間位置の時間的変化の仕方を比較することによりシーン変化を検出する。最初に、撮影終了時検出手段１２７は、光学レンズ情報管理部１１１のズーム量記憶部１１９の値を読み取ることにより、前回の撮影時のズーム量の時間的変化と現在撮影し終えた映像のズーム量の時間的変化とを比較する（Ｓ５００）。比較した結果に相関関係がなければ（Ｓ５００において“ＮＯ”）、撮影終了時検出手段１２７はシーンの変化を検出したと判定し、その結果を出力する（Ｓ５０１）。比較した結果に相関関係があれば（Ｓ５００において“ＹＥＳ”）、撮影終了時検出手段１２７は、光学レンズ情報管理部１１１のフォーカス量記憶部１２０の値を読み取ることにより、前回の撮影時のフォーカス量の時間的変化と現在撮影し終えたフォーカス量の時間的変化とを比較する（Ｓ５０２）。比較した結果に相関関係がなければ（Ｓ５０２において“ＮＯ”）、撮影終了時検出手段１２７はシーンの変化を検出したと判定し、その結果を出力する（Ｓ５０１）。比較した結果に相関関係があれば（Ｓ５０２において“ＹＥＳ”）、撮影終了時検出手段１２７は、位置情報取得部１１２の位置情報記憶部１２８の値を読み取ることにより、前回の撮影時の映像記録装置１００の位置情報の時間的変化と現在撮影し終えた映像の映像記録装置１００の位置情報の時間的変化を比較する（Ｓ５０３）。比較した結果に相関関係がなければ（Ｓ５０３において“ＮＯ”）、撮影終了時検出手段１２７はシーンの変化を検出したと判定し、その結果を出力する（Ｓ５０１）。比較した結果に相関関係があれば（Ｓ５０３において“ＹＥＳ”）、撮影終了時検出手段１２７はシーンの変化を検出しなかったと判定し、その結果を出力する（Ｓ５０４）。光学系（ズーム量またはフォーカス量）における相関関係の判定は例えば次のように行う。ズーム量またはフォーカス量における前回撮影時のフレーム単位での時間的変化Ｆｚｐと、現在撮影時の時間的変化Ｆｚｃとの相互相関関数Ｃｚを求める。そして、適切な閾値ｔｅ１によって相関関係があるか否かを判定する。Ｃｚがｔｅ１以下であれば（Ｃｚ≦ｔｅ１）に相関関係がないと判定する。位置情報における相関関係の判定は例えば次のように行う。空間位置の前回撮影時のフレーム単位での時間的変化Ｆｋｐと、現在の撮影時の時間的変化Ｆｋｃの相互相関関数Ｃｋを求め、適切な閾値ｔｅ２によって決定する。Ｃｋがｔｅ２以下であれば（Ｃｋ≦ｔｅ２）に相関関係がないと判定する。
【００３０】
シーン変化を検出するための図４のステップＳ４００、ステップＳ４０３、ステップＳ４０５、図５のステップＳ５００、ステップＳ５０２、ステップＳ５０３の各判定は必ずしも全て行う必要はなく、少なくとも一つの判定を行えばよい。また、本例では判定のいずれかが満たされたときにシーン変化が検出されたとしていたが、逆に判定のいずれかが満たされなかったときにシーン変化が検出されなかったとしてもよい。
【００３１】
なお、本実施の形態ではシーン情報の一例として、シーンを特定するための連番であるシーン番号を付与するものとしたが、シーン情報としてはシーンを識別できる情報であればなんでもよい。例えばシーン情報は連番でなくてもよく、また、文字を含む情報であってもよい。
【産業上の利用可能性】
【００３２】
本発明は、シーン番号やテイク番号を多く活用するような、映像データを番号で管理する形態の映像製作現場で用いられる映像記録装置に有用である。
【符号の説明】
【００３３】
１００  映像記録装置
１０１  記録媒体
１０２  撮像部
１０３  低圧縮符号化部
１０４  高圧縮符号化部
１０５  撮影開始終了入力部
１０６  記録部
１０７  低圧縮映像ファイル
１０８  高圧縮映像ファイル
１０９  付加情報管理部
１１０  付加情報ファイル
１１１  光学レンズ情報管理部
１１２  位置情報取得部
１１３  時刻管理部
１１４  光学レンズ部
１１５  ズームリング部
１１６  フォーカスリング部
１１７  ズームリングセンサ部
１１８  フォーカスリングセンサ部
１１９  ズーム量記憶部
１２０  フォーカス量記憶部
１２１  レンズ種別記憶部
１２２  シーン・テイク番号管理部
１２３  シーン番号カウンタ
１２４  テイク番号カウンタ
１２５  シーン変化検出部
１２６  撮影開始時検出手段
１２７  撮影終了時検出手段
１２８  位置情報記憶部
１２９  平均経過時間記憶部
【図１】
2011035579.tif 000003
【図２】
2011035579.tif 000004
【図３】
2011035579.tif 000005
【図４】
2011035579.tif 000006
【図５】
2011035579.tif 000007